(57)【要約】【課題】開放Ｆ値が明るい大口径比でありながら、サジタルコマフレアと像面湾曲等の諸収差を良好に補正した高い光学性能を有する小型の撮像光学系およびそれを有する撮像装置を提供すること。【解決手段】物体側より像側に順に配置された、正の屈折力のレンズ群ＬＦと、負の屈折力のレンズ群ＬＲから成る撮像光学系であって、レンズ群ＬＲは負の屈折力の単一レンズまたは複数のレンズを接合した負の屈折力の接合レンズから成り、レンズ群ＬＦは開口絞りと、１つ以上の負の屈折力の空気レンズを有し、撮像光学系の焦点距離をｆ、開口絞りから像面までの光軸上の距離をＴ、開放Ｆ値での開口絞り径をＤ、レンズ群ＬＲの最も物体側のレンズ面から像面までの光軸上の距離Ｌｎ、焦点距離ｆｎｒｅｆを適切に設定したこと。【選択図】図１
2020118846.tif 000002
【特許請求の範囲】
【請求項１】
物体側より像側に順に配置された、正の屈折力のレンズ群ＬＦと、負の屈折力のレンズ群ＬＲから成る撮像光学系であって、
前記レンズ群ＬＲは負の屈折力の単一レンズまたは複数のレンズを接合した負の屈折力の接合レンズから成り、
前記レンズ群ＬＦは開口絞りと、１つ以上の負の屈折力の空気レンズを有し、
前記撮像光学系の焦点距離をｆ、前記開口絞りから像面までの光軸上の距離をＴ、開放Ｆ値での開口絞り径をＤ、前記レンズ群ＬＲの最も物体側のレンズ面から像面までの光軸上の距離をＬｎ、前記レンズ群ＬＲの最も物体側のレンズ面の曲率半径Ｒ１ＬＲおよび最も像側のレンズ面の曲率半径Ｒ２ＬＲを、それぞれ参照球面の曲率半径とするときの前記レンズ群ＬＲの焦点距離をｆｎｒｅｆとするとき、
０．８０＜Ｔ／Ｄ＜３．００
０．０００＜Ｌｎ／ｆ＜０．１３０
０．３０＜｜ｆｎｒｅｆ｜／ｆ＜３．００
なる条件式を満足することを特徴とする撮像光学系。
【請求項２】
前記撮像光学系は、
０．３０＜｜Ｒ１ＬＲ｜／ｆ＜１．００
なる条件式を満足することを特徴とする請求項１に記載の撮像光学系。
【請求項３】
前記レンズ群ＬＦの中の空気レンズのうち最も負の屈折力の強い空気レンズＬａｉｒの焦点距離をｆａｉｒとするとき、
０．２０＜ｆａｉｒ／ｆｎｒｅｆ＜１０００００．００
なる条件式を満足することを特徴とする請求項１又は２に記載の撮像光学系。
【請求項４】
前記レンズ群ＬＦは複数の負レンズを有し、前記レンズ群ＬＦの中で負の屈折力の最も強いレンズＬＦｎの焦点距離をｆＬＦｎとするとき、
０．２０＜ｆＬＦｎ／ｆｎｒｅｆ＜１０００００．００
なる条件式を満足することを特徴とする請求項１乃至３のいずれか１項に記載の撮像光学系。
【請求項５】
前記撮像光学系は、
０．００＜Ｌｎ／｜ｆｎｒｅｆ｜＜０．１５
なる条件式を満足することを特徴とする請求項１乃至４のいずれか１項に記載の撮像光学系。
【請求項６】
前記レンズ群ＬＦは複数の正レンズを有し、前記レンズ群ＬＦの中で最も物体側に配置される正レンズの焦点距離をｆｐとするとき、
０．５０＜ｆｐ／ｆ＜２．４０
なる条件式を満足することを特徴とする請求項１乃至５のいずれか１項に記載の撮像光学系。
【請求項７】
前記レンズ群ＬＦは複数の正レンズを有し、前記レンズ群ＬＦの中で最も物体側に配置される正レンズの物体側のレンズ面から像面までの光軸上の間隔をＬｐ、前記レンズ群ＬＦの中で最も物体側に配置される正レンズの焦点距離をｆｐとするとき、
０．５０＜ｆｐ／Ｌｐ＜１．５０
なる条件式を満足することを特徴とする請求項１乃至６のいずれか１項に記載の撮像光学系。
【請求項８】
前記レンズ群ＬＦの焦点距離をｆＬＦとするとき、
０．８５＜ｆＬＦ／ｆ＜１．００
なる条件式を満足することを特徴とする請求項１乃至７のいずれか１項に記載の撮像光学系。
【請求項９】
前記レンズ群ＬＦは複数の正レンズを有し、前記レンズ群ＬＦの中で最も物体側に配置される正レンズの物体側のレンズ面から像面までの光軸上の間隔をＬｐとするとき、
０．４０＜Ｔ／Ｌｐ＜０．８５
なる条件式を満足することを特徴とする請求項１乃至８のいずれか１項に記載の撮像光学系。
【請求項１０】
前記撮像光学系は、無限遠から至近へのフォーカシングにおいて物体側へ移動するレンズ群ＬＦ１を有し、該レンズ群ＬＦ１は物体側より順に、正の屈折力のレンズ、正の屈折力のレンズ、負の屈折力のレンズを有することを特徴とする請求項１乃至９のいずれか１項に記載の撮像光学系。
【請求項１１】
前記撮像光学系において、前記レンズ群ＬＦ１は物体側より像側へ順に、正の屈折力のレンズ、正の屈折力のレンズ、負の屈折力のレンズ、負の屈折力のレンズ、正の屈折力のレンズから成ることを特徴とする請求項１０に記載の撮像光学系。
【請求項１２】
前記撮像光学系において、前記レンズ群ＬＦ１は物体側より像側へ順に、正の屈折力のレンズ、正の屈折力のレンズ、負の屈折力のレンズ、正の屈折力のレンズから成ることを特徴とする請求項１０に記載の撮像光学系。
【請求項１３】
前記撮像光学系において、前記レンズ群ＬＦ１の焦点距離をｆＬＦ１とするとき、
０．７０＜ｆＬＦ１／ｆ＜５．００
なる条件式を満足することを特徴とする請求項１０乃至１２のいずれか１項に記載の撮像光学系。
【請求項１４】
前記レンズ群ＬＦは物体側から像側へ順に配置された、正の屈折力のレンズ群ＬＦ１、正の屈折力のレンズ群ＬＦ２よりなり、無限遠から近距離へのフォーカシングに際して、前記レンズ群ＬＦ１は物体側へ移動することを特徴とする請求項１乃至１３のいずれか１項に記載の撮像光学系。
【請求項１５】
前記レンズ群ＬＦは物体側から像側へ順に配置された、負の屈折力のレンズ群ＬＦＦ、正の屈折力のレンズ群ＬＦ１、正の屈折力のレンズ群ＬＦ２よりなり、無限遠から近距離へのフォーカシングに際して、前記レンズ群ＬＦ１は物体側へ移動することを特徴とする請求項１乃至１３のいずれか１項に記載の撮像光学系。
【請求項１６】
請求項１乃至請求項１５のいずれか１項に記載の撮像光学系と、該撮像光学系によって形成される像を受光する撮像素子を有することを特徴とする撮像装置。
【発明の詳細な説明】
【技術分野】
【０００１】
本発明は撮像光学系およびそれを有する撮像装置に関し、特にデジタルスチルカメラ、ビデオカメラ、放送用カメラ、監視用カメラ、車載用カメラなどの撮像装置に好適なものである。
【背景技術】
【０００２】
従来、撮像装置に用いる開放Ｆ値が明るい大口径比の撮像光学系においては、開口絞りに対してレンズを略対称に配置している。これにより、メリディオナルコマ収差、倍率色収差、歪曲収差等の諸収差を良好に補正した、いわゆるダブルガウス型を用いた撮像光学系が知られている。
【０００３】
ダブルガウス型の撮像光学系では、諸収差のうち像面湾曲を補正するために用いる強い負の屈折力のレンズから、いわゆるサジタルコマフレアが大きく発生し、その補正が困難であることが知られている。
【０００４】
開放Ｆ値が明るく大口径比でありながら、サジタルコマフレアと像面湾曲等の諸収差を良好に補正した撮像光学系が知られている（特許文献１、２）。
【０００５】
特許文献１では、像側に強い負の屈折力のレンズを配置することで、像面湾曲を良好に補正した撮影レンズを開示している。
【０００６】
また、特許文献２では、ダブルガウス型を用いてレンズ枚数を増したレンズ構成とすることで、サジタルコマフレア、像面湾曲等の諸収差を良好に補正した光学系を開示している。
【先行技術文献】
【特許文献】
【０００７】
【特許文献１】特開昭６３−８５５１５号公報
【特許文献２】特開２０１５−１１４３６６号公報
【発明の概要】
【発明が解決しようとする課題】
【０００８】
開放Ｆ値が明るく、かつ大口径比で、サジタルコマフレアを低減し、高画質でしかも全系の小型化を図るには、撮像光学系を構成する各レンズのレンズ形状や屈折力等を適切に設定することが重要になってくる。
【０００９】
例えばサジタルコマフレアを良好に補正し、高画質の画像を得るには、物体側に配置された正の屈折力のレンズ群のレンズ構成、開口絞りの位置、像側の負の屈折力のレンズ群のレンズ構成等を適切に設定することが重要になってくる。特に最も像側に配置されたレンズ要素等を適切に設定することが重要になってくる。
【００１０】
特許文献１に開示された撮影レンズでは、像側に配置した強い負の屈折力のレンズにより像面湾曲は良好に補正されているが、この強い負の屈折力のレンズからサジタルコマフレアが多く発生している。
【００１１】
特許文献２に開示された光学系では、像面湾曲を補正している強い負の屈折力の空気レンズによって軸外サジタル光束が大きく発散され、サジタルコマフレアが多く発生している。レンズ枚数の増加により、この発生したサジタルコマフレア及び諸収差の補正を図っているため、レンズ枚数が多くなり、光学系の小型化が困難である。また、サジタルコマフレアの補正も不十分である。
【００１２】
本発明は、開放Ｆ値が明るい大口径比でありながら、サジタルコマフレアと像面湾曲等の諸収差を良好に補正した高い光学性能を有する小型の撮像光学系およびそれを有する撮像装置の提供を目的とする。
【課題を解決するための手段】
【００１３】
本発明の撮像光学系は、物体側より像側に順に配置された、正の屈折力のレンズ群ＬＦと、負の屈折力のレンズ群ＬＲから成る撮像光学系であって、前記レンズ群ＬＲは負の屈折力の単一レンズまたは複数のレンズを接合した負の屈折力の接合レンズから成り、前記レンズ群ＬＦは開口絞りと、１つ以上の負の屈折力の空気レンズを有し、前記撮像光学系の焦点距離をｆ、前記開口絞りから像面までの光軸上の距離をＴ、開放Ｆ値での開口絞り径をＤ、前記レンズ群ＬＲの最も物体側のレンズ面から像面までの光軸上の距離をＬｎ、前記レンズ群ＬＲの最も物体側のレンズ面の曲率半径Ｒ１ＬＲおよび最も像側のレンズ面の曲率半径Ｒ２ＬＲを、それぞれ参照球面の曲率半径とするときの前記レンズ群ＬＲの焦点距離をｆｎｒｅｆとするとき、
０．８０＜Ｔ／Ｄ＜３．００
０．０００＜Ｌｎ／ｆ＜０．１３０
０．３０＜｜ｆｎｒｅｆ｜／ｆ＜３．００
なる条件式を満足することを特徴としている。
【発明の効果】
【００１４】
本発明によれば、開放Ｆ値が明るい大口径比でありながら、サジタルコマフレアと像面湾曲等の諸収差を良好に補正した高い光学性能を有する小型の撮像光学系が得られる。
【図面の簡単な説明】
【００１５】
【図１】実施例１の撮像光学系の無限遠フォーカス時のレンズ断面図
【図２】実施例１の撮像光学系の無限遠フォーカス時の縦収差図と横収差図
【図３】実施例２の撮像光学系の無限遠フォーカス時のレンズ断面図
【図４】実施例２の無限遠フォーカス時の縦収差図と横収差図
【図５】実施例３の撮像光学系の無限遠フォーカス時のレンズ断面図
【図６】実施例３の無限遠フォーカス時の縦収差図と横収差図
【図７】実施例４の撮像光学系の無限遠フォーカス時のレンズ断面図
【図８】実施例４の無限遠フォーカス時の縦収差図と横収差図
【図９】実施例５の撮像光学系の無限遠フォーカス時のレンズ断面図
【図１０】実施例５の無限遠フォーカス時の縦収差図と横収差図
【図１１】実施例６の撮像光学系の無限遠フォーカス時のレンズ断面図
【図１２】実施例６の無限遠フォーカス時の縦収差図と横収差図
【図１３】実施例７の撮像光学系の無限遠フォーカス時のレンズ断面図
【図１４】実施例７の無限遠フォーカス時の縦収差図と横収差図
【図１５】実施例８の撮像光学系の無限遠フォーカス時のレンズ断面図
【図１６】実施例８の無限遠フォーカス時の縦収差図と横収差図
【図１７】本発明の撮像装置の要部概略図
【図１８】非球面形状を有するレンズ面における参照球面の説明図
【発明を実施するための形態】
【００１６】
以下に、本発明の撮像光学系およびそれを有する撮像装置の好ましい実施の形態を、添付の図面に基づいて説明する。
【００１７】
本発明の撮像光学系は、物体側より像側に順に配置された、正の屈折力のレンズ群ＬＦと、負の屈折力のレンズ群ＬＲから成る。レンズ群ＬＲは負の屈折力の単一レンズまたは複数のレンズを接合した負の屈折力の接合レンズから成る。レンズ群ＬＦは開口絞りと１つ以上の負の屈折力の空気レンズを有している。
【００１８】
負の屈折力の空気レンズを有することは、すなわち、あるレンズの像側のレンズ面と、該レンズの像側に隣接して配置されたレンズの物体側のレンズ面との合成屈折力が負であることを意味する。又レンズ群ＬＦはフォーカシングに際して移動するレンズ群ＬＦ１と不動のレンズ群ＬＦ２を有する。この他不動のレンズ群ＬＦＦを有するときもある。
【００１９】
図１は、本発明の実施例１の撮像光学系の無限遠にフォーカス時のレンズ断面図である。図２（Ａ）、（Ｂ）は実施例１の無限遠にフォーカス時の縦収差図と横収差図である。実施例１は焦点距離５１．５０ｍｍ、開口比１．２４の撮像光学系である。無限遠から至近へのフォーカシングにおいて、レンズ群ＬＦ２、レンズ群ＬＲは不動で、レンズ群ＬＦ１を矢印ａの如く物体側に移動させている。
【００２０】
図３は、本発明の実施例２の撮像光学系の無限遠にフォーカス時のレンズ断面図である。図４（Ａ）、（Ｂ）は実施例２の無限遠にフォーカス時の縦収差図と横収差図である。実施例２は焦点距離４９．１７ｍｍ、開口比１．６５の撮像光学系である。無限遠から至近へのフォーカシングにおいて、レンズ群ＬＦ２、レンズ群ＬＲは不動で、レンズ群ＬＦ１を矢印ａの如く物体側に移動させている。
【００２１】
図５は、本発明の実施例３の撮像光学系の無限遠にフォーカス時のレンズ断面図である。図６（Ａ）、（Ｂ）は実施例３の無限遠にフォーカス時の縦収差図と横収差図である。実施例３は焦点距離５１．５０ｍｍ、開口比１．２４の撮像光学系である。無限遠から至近へのフォーカシングにおいて、レンズ群ＬＦ２、レンズ群ＬＲは不動で、レンズ群ＬＦ１を矢印ａの如く物体側に移動させている。
【００２２】
図７は、本発明の実施例４の撮像光学系の無限遠にフォーカス時のレンズ断面図である。図８（Ａ）、（Ｂ）は実施例４の無限遠にフォーカス時の縦収差図と横収差図である。実施例４は焦点距離５１．５０ｍｍ、開口比１．２５の撮像光学系である。無限遠から至近へのフォーカシングにおいて、レンズ群ＬＦ２、レンズ群ＬＲは不動で、レンズ群ＬＦ１を矢印ａの如く物体側に移動させている。
【００２３】
図９は、本発明の実施例５の撮像光学系の無限遠にフォーカス時のレンズ断面図である。図１０（Ａ）、（Ｂ）は実施例５の無限遠にフォーカス時の縦収差図と横収差図である。実施例５は焦点距離８２．５２ｍｍ、開口比１．２５の撮像光学系である。無限遠から至近へのフォーカシングにおいて、レンズ群ＬＦ２、レンズ群ＬＲは不動で、レンズ群ＬＦ１を矢印ａの如く物体側に移動させている。
【００２４】
図１１は、本発明の実施例６の撮像光学系の無限遠にフォーカス時のレンズ断面図である。図１２（Ａ）、（Ｂ）は実施例６の無限遠にフォーカス時の縦収差図と横収差図である。実施例６は焦点距離３６．００ｍｍ、開口比１．４５の撮像光学系である。無限遠から至近へのフォーカシングにおいて、レンズ群ＬＦＦ、レンズ群ＬＦ２、レンズ群ＬＲは不動で、レンズ群ＬＦ１を矢印ａの如く物体側に移動させている。
【００２５】
図１３は、本発明の実施例７の撮像光学系の無限遠にフォーカス時のレンズ断面図である。図１４（Ａ）、（Ｂ）は実施例７の無限遠にフォーカス時の縦収差図と横収差図である。実施例７は焦点距離３５．００ｍｍ、開口比２．００の撮像光学系である。無限遠から至近へのフォーカシングにおいて、レンズ群ＬＦＦ、レンズ群ＬＦ２、レンズ群ＬＲは不動で、レンズ群ＬＦ１を矢印ａの如く物体側に移動させている。
【００２６】
図１５は、本発明の実施例８の撮像光学系の無限遠にフォーカス時のレンズ断面図である。図１６（Ａ）、（Ｂ）は実施例８の無限遠にフォーカス時の縦収差図と横収差図である。実施例８は焦点距離５１．５ｍｍ、開口比１．２４の撮像光学系である。無限遠から至近へのフォーカシングにおいて、レンズ群ＬＦ２、レンズ群ＬＲは不動で、レンズ群ＬＦ１を矢印ａの如く物体側に移動させている。
【００２７】
各実施例の撮像光学系はデジタルスチルカメラ、ビデオカメラ、放送用カメラ、監視用カメラ、車載用カメラなどの撮像装置に用いられる撮像光学系である。
【００２８】
レンズ断面図において、左方が物体側（前方）で、右方が像側（後方）である。ｉは物体側からの順番を示し、Ｇｉは第ｉレンズである。ＬＦは１つ以上のレンズを含む正の屈折力のレンズ群である。ＬＲは負の屈折力の単レンズ、又は複数のレンズを接合した負の屈折力の接合レンズ、負の屈折力のレンズにローパスフィルター等の光学素子を接合した接合レンズ、などのいずれかから成る負の屈折力のレンズ群である。
【００２９】
レンズ断面図において、ＳＰは開口絞りである。ＩＰは像面であり、ビデオカメラやデジタルスチルカメラとして使用する際にはＣＣＤセンサやＣＭＯＳセンサ等の撮像素子（光電変換素子）の撮像面が置かれる。ＦＬは光学フィルター、ローパスフィルター、赤外カットフィルター等に相当する光学素子である。
【００３０】
球面収差図において、実線のｄはｄ線（波長５８７．６ｎｍ）、２点鎖線のｇはｇ線（波長４３５．８ｎｍ）を示している。非点収差図および横収差図において、Ｍはメリディオナル像面、Ｓはサジタル像面を表している。歪曲はｄ線における歪曲を示している。倍率色収差図において、ｄ線を基準とする際のｇ線の差分を表している。ＦｎｏはＦナンバーである。ωは撮影半画角（度）である。
【００３１】
各実施例において、撮像光学系の焦点距離をｆ、開口絞りＳＰから像面までの光軸上の距離をＴ、開放Ｆ値での開口絞り径をＤとする。レンズ群ＬＲの最も物体側のレンズ面から像面までの光軸上の距離をＬｎとする。レンズ群ＬＲの最も物体側のレンズ面の曲率半径Ｒ１ＬＲおよび最も像側のレンズ面の曲率半径Ｒ２ＬＲを、それぞれ参照球面（レンズ面の頂点と有効径最外周部を通る球面）の曲率半径とする（該レンズ面が球面のときは近軸曲率半径とする）。このときのレンズ群ＬＲの焦点距離をｆｎｒｅｆとする。このとき、
０．８０＜Ｔ／Ｄ＜３．００              ・・・（１）
０．０００＜Ｌｎ／ｆ＜０．１３０        ・・・（２）
０．３０＜｜ｆｎｒｅｆ｜／ｆ＜３．００  ・・・（３）
なる条件式を満足する。
【００３２】
次に本発明に係る非球面形状を有するレンズ面の参照球面の曲率半径の定義について説明する。図１８に示すように、参照球面の曲率半径とは、レンズ面の頂点と光線有効径により決定されるレンズ面の有効径最外周部を通る球面の半径である。
【００３３】
各実施例において、レンズ群ＬＦ内の空気レンズＬａｉｒの負の屈折力を小さくすることで、開口絞りＳＰより物体側のレンズで屈折され収束に向かっている軸上光線および軸外サジタル光線が、空気レンズＬａｉｒで大きく屈折され発散されることなく直進する。これにより、オーバー方向への球面収差およびサジタルコマフレアの発生を抑制している。
【００３４】
空気レンズＬａｉｒの負の屈折力を弱くすると、像面湾曲が大きくアンダー方向に出てしまう。これを、像側に強い負の屈折力のレンズ群ＬＲを配置し、レンズ群ＬＲを通過する軸上光線と軸外光線に光路長差を発生させることで補正している。
【００３５】
また、入射するサジタル光束が十分に収斂し光束が細く、かつ軸外主光線高さが大きい像面近くにレンズ群ＬＲを配置することで、レンズ群ＬＲでのサジタルコマフレアの発生を抑制するとともに、レンズ群ＬＲの像面湾曲の補正効果を高めている。
【００３６】
次に前述の条件式の技術的意味について説明する。
【００３７】
条件式（１）は開口絞りＳＰから像面までの間隔と開口絞りＳＰの開口絞り径との比を規定している。空気レンズＬａｉｒの負の屈折力が弱いと、開口絞りＳＰより物体側のレンズで屈折され収束に向かっている光線が、負の屈折力で屈折され発散されることなく直進するため、大口径レンズではＦナンバーに近い小さな値をとる。
【００３８】
条件式（１）の上限値を超えると、レンズ群ＬＦ中の負の屈折力が強くなり、サジタルコマフレアが多く発生してしまい好ましくない。条件式（１）の下限値を超えると、大口径化により光学系が大型化し過ぎてしまい好ましくない。
【００３９】
条件式（２）は最も像側に配置されるレンズ群ＬＲの光軸方向の位置を規定している。条件式（２）の上限値を超えると、非点収差の発生が大きくなり、またレンズ群ＬＲによりサジタルコマフレアの発生が大きくなり好ましくない。条件式（２）の下限値を超えると、レンズ群ＬＲの肉厚が極めて小さくなり製造が困難になり好ましくない。
【００４０】
条件式（３）はレンズ群ＬＲの焦点距離を規定している。レンズ群ＬＲはレンズ群ＬＲを通過する軸上光線と軸外光線に光路長差を発生させることで像面湾曲を補正している。したがって、この光路長差を特徴付けるには、レンズ面が非球面形状を有する場合には、近軸曲率により計算される焦点距離ではなく、実際の非球面形状により近い参照球面の曲率半径により計算される焦点距離を用いるほうがよい。
【００４１】
条件式（３）の上限値を超えると、像面湾曲の補正が十分ではなくなり好ましくない。条件式（３）の下限値を超えると像面湾曲の補正が過剰になり、またレンズ群ＬＲよりサジタルコマフレアの発生が大きくなり好ましくない。
【００４２】
なお、各実施例において、好ましくは条件式（１）乃至（３）の数値範囲を以下の如く設定するのがよい。
【００４３】
１．００＜Ｔ／Ｄ＜２．９０                    ・・・（１ａ）
０．０００＜Ｌｎ／ｆ＜０．１２９              ・・・（２ａ）
０．４０＜｜ｆｎｒｅｆ｜／ｆ＜２．５０        ・・・（３ａ）
また、各実施例において、さらに好ましくは条件式（１ａ）乃至（３ａ）の数値範囲を以下の如く設定するのが良い。
【００４４】
１．２０＜Ｔ／Ｄ＜２．８５                    ・・・（１ｂ）
０．０００＜Ｌｎ／ｆ＜０．１２８              ・・・（２ｂ）
０．５０＜｜ｆｎｒｅｆ｜／ｆ＜１．８０        ・・・（３ｂ）
各実施例において更に好ましくは次の条件のうち１つ以上を満足するのが良い。
【００４５】
レンズ群ＬＦの中の空気レンズのうち最も負の屈折力の強い空気レンズＬａｉｒの焦点距離をｆａｉｒとする。レンズ群ＬＦは複数の負レンズを有し、レンズ群ＬＦの中で負の屈折力の最も強いレンズＬＦｎの焦点距離をｆＬＦｎとする。
【００４６】
レンズ群ＬＦは複数の正レンズを有し、レンズ群ＬＦの中で最も物体側に配置される正レンズの焦点距離をｆｐとする。レンズ群ＬＦの中で最も物体側に配置される正レンズの物体側のレンズ面から像面までの光軸上の間隔をＬｐとする。レンズ群ＬＦの焦点距離をｆＬＦとする。撮像光学系は、無限遠から至近へのフォーカシングにおいて物体側へ移動するレンズ群ＬＦ１を有する。レンズ群ＬＦ１の焦点距離をｆＬＦ１とする。
【００４７】
このとき次の条件式のうち１つ以上を満足するのが良い。
【００４８】
０．３０＜｜Ｒ１ＬＲ｜／ｆ＜１．００              ・・・（４）
０．２０＜ｆａｉｒ／ｆｎｒｅｆ＜１０００００．００・・・（５）
０．２０＜ｆＬＦｎ／ｆｎｒｅｆ＜１０００００．００・・・（６）
０．００＜Ｌｎ／｜ｆｎｒｅｆ｜＜０．１５          ・・・（７）
０．５０＜ｆｐ／ｆ＜２．４０                      ・・・（８）
０．５０＜ｆｐ／Ｌｐ＜１．５０                    ・・・（９）
０．８５＜ｆＬＦ／ｆ＜１．００                    ・・・（１０）
０．４０＜Ｔ／Ｌｐ＜０．８５                      ・・・（１１）
０．７０＜ｆＬＦ１／ｆ＜５．００                  ・・・（１２）
次に前述の各条件式の技術的意味について説明する。
【００４９】
条件式（４）は最も像側に配置されるレンズ群ＬＲの物体側のレンズ面の曲率半径について規定している。レンズ群ＬＲは像面湾曲を補正しているが、このレンズ群ＬＲでの非点収差の発生を抑制するには、物体側のレンズ面が物体側に凹面を向けているとよい。これは軸外光線がレンズ群ＬＲの物体側のレンズ面に入射するときに、レンズ面に対しておよそ垂直に近い角度で入射するためである。条件式（４）の上限値を超えると、像面湾曲の補正が不足し好ましくない。条件式（４）の下限値を超えると、像面湾曲の補正が過剰になり、また非点収差が多く発生するため好ましくない。
【００５０】
条件式（５）はレンズ群ＬＦ内の負の屈折力の空気レンズＬａｉｒと最も像側に配置されたレンズ群ＬＲの焦点距離の比を規定している。条件式（５）の下限値を超えると、空気レンズＬａｉｒの負の屈折力が強くなるか（負の屈折力の絶対値が大きくなるか）、レンズ群ＬＲの負の屈折力が弱くなる（負の屈折力の絶対値が小さくなる）。空気レンズＬａｉｒの負の屈折力が強すぎるとサジタルコマフレアや球面収差が多く発生するため好ましくない。レンズ群ＬＲの負の屈折力が弱すぎると像面湾曲の補正が不足し好ましくない。
【００５１】
条件式（５）の上限値を超えると、空気レンズＬａｉｒの負の屈折力が弱くなるか（負の屈折力の絶対値が小さくなるか）、レンズ群ＬＲの負の屈折力が強くなる（負の屈折力の絶対値が大きくなる）。空気レンズＬａｉｒの負の屈折力が弱すぎると像面湾曲の補正が不足し好ましくない。レンズ群ＬＲの負の屈折力が強すぎるとサジタルコマフレアや球面収差が多く発生するため好ましくない。
【００５２】
条件式（６）はレンズ群ＬＦ内の負の屈折力のレンズＬＦｎと最も像側に配置されたレンズ群ＬＲの焦点距離の比を規定している。条件式（６）の下限値を超えると、レンズ群ＬＦ内のレンズＬＦｎの負の屈折力が強くなるか、レンズ群ＬＲの負の屈折力が弱くなる。レンズＬＦｎの負の屈折力が強すぎるとサジタルコマフレアや球面収差が発生するため好ましくない。レンズ群ＬＲの負の屈折力が弱すぎると像面湾曲の補正が不足し好ましくない。
【００５３】
条件式（６）の上限値を超えると、レンズ群ＬＦ内のレンズＬＦｎの負の屈折力が弱くなるか、レンズ群ＬＲの負の屈折力が強くなる。レンズＬＦｎの負の屈折力が弱すぎると像面湾曲の補正が不足し好ましくない。レンズ群ＬＲの負の屈折力が強すぎるとサジタルコマフレアや球面収差が多く発生するため好ましくない。
【００５４】
条件式（７）は最も像側に配置されるレンズ群ＬＲの位置と焦点距離を規定している。条件式（７）の上限値を超えると、非点収差の発生が大きくなり、またレンズ群ＬＲよりサジタルコマフレアの発生が大きくなり好ましくない。条件式（７）の下限値を超えると、レンズ群ＬＲの肉厚が極めて小さく製造が困難になり好ましくない。
【００５５】
条件式（８）はレンズ群ＬＦの中で最も物体側に配置される正の屈折力のレンズの焦点距離を規定している。条件式（８）の上限値を超えると、レンズ全長が増大し、撮像光学系の小型化が困難になり好ましくない。条件式（８）の下限値を超えると、球面収差が補正過剰になり好ましくない。
【００５６】
条件式（９）はレンズ群ＬＦの中で最も物体側に配置される正の屈折力のレンズの焦点距離とその位置の比を規定している。最も物体側の正の屈折力のレンズで屈折された軸上光線および軸外サジタル光線は、前述のようにレンズ群ＬＦ内に強い負の屈折力がないためほぼ直進する。したがって、レンズ群ＬＦの中で最も物体側に配置される正の屈折力のレンズの焦点距離とこのレンズの最も物体側のレンズ面から像面までの間隔の比は１に近い値となる。
【００５７】
条件式（９）の上限値を超えると、レンズ全長が増大し、撮像光学系の小型化が困難になり好ましくない。条件式（９）の下限値を超えると、レンズ群ＬＦ内の負の屈折力が強くなりすぎサジタルコマフレアが多く発生するため好ましくない。
【００５８】
条件式（１０）はレンズ群ＬＦの焦点距離を規定している。条件式（１０）の上限値を超えると、レンズ群ＬＦとレンズ群ＬＲの間隔が大きくなり、撮像光学系の小型化が困難になり好ましくない。条件式（１０）の下限値を超えると、撮像光学系の焦点距離に対するレンズ群ＬＲの負の屈折力の寄与が大きくなる。このとき、レンズ群ＬＲと像面の間隔は大きくなり、レンズ群ＬＲでサジタルコマフレアや非点収差が多く発生するため好ましくない。
【００５９】
条件式（１１）は開口絞りＳＰの位置を規定している。条件式（１１）の上限値または下限値を超えると、開口絞りＳＰの前後でレンズ径に大きな差が発生し、レンズ径が大型化してしまうので好ましくない。
【００６０】
条件式（１２）はフォーカス用のレンズ群ＬＦ１の焦点距離と、撮像光学系の焦点距離の比を規定している。条件式（１２）の上限値を超えると、フォーカシングによる移動量が大きくなり撮像光学系が大型化するため好ましくない。条件式（１２）の下限値を超えると、フォーカシングによる移動量は小さくなるが、フォーカスによる光学性能の変動が大きくなるため好ましくない。
【００６１】
なお、各実施例において好ましくは条件式（４）乃至（１１）の数値範囲を以下の如く設定するのがよい。
【００６２】
０．４０＜｜Ｒ１ＬＲ｜／ｆ＜０．９０                      ・・・（４ａ）
０．２５＜ｆａｉｒ／ｆｎｒｅｆ＜１０００００．００        ・・・（５ａ）
０．２５＜ｆＬＦｎ／ｆｎｒｅｆ＜１０００００．００        ・・・（６ａ）
０．００＜Ｌｎ／｜ｆｎｒｅｆ｜＜０．１３                  ・・・（７ａ）
０．６０＜ｆｐ／ｆ＜２．００                              ・・・（８ａ）
０．５５＜ｆｐ／Ｌｐ＜１．３０                            ・・・（９ａ）
０．８７＜ｆＬＦ／ｆ＜１．００                            ・・・（１０ａ）
０．４５＜Ｔ／Ｌｐ＜０．８０                              ・・・（１１ａ）
０．８５＜ｆＬＦ１／ｆ＜３．００                          ・・・（１２ａ）
なお、各実施例においてさらに好ましくは条件式（４ａ）乃至（１１ａ）の数値範囲を以下の如く設定するのが良い。
【００６３】
０．４５＜｜Ｒ１ＬＲ｜／ｆ＜０．８０                      ・・・（４ｂ）
０．３０＜ｆａｉｒ／ｆｎｒｅｆ＜１０００００．００        ・・・（５ｂ）
０．３５＜ｆＬＦｎ／ｆｎｒｅｆ＜１０００００．００        ・・・（６ｂ）
０．００＜Ｌｎ／｜ｆｎｒｅｆ｜＜０．１２                  ・・・（７ｂ）
０．８０＜ｆｐ／ｆ＜１．５０                              ・・・（８ｂ）
０．６０＜ｆｐ／Ｌｐ＜１．１０                            ・・・（９ｂ）
０．９０＜ｆＬＦ／ｆ＜１．００                            ・・・（１０ｂ）
０．５０＜Ｔ／Ｌｐ＜０．７５                              ・・・（１１ｂ）
０．９５＜ｆＬＦ１／ｆ＜１．３０                          ・・・（１２ｂ）
レンズ群ＬＦは物体側から像側へ順に配置された、正の屈折力のレンズ群ＬＦ１、正の屈折力のレンズ群ＬＦ２よりなり、無限遠から近距離へのフォーカシングに際して、レンズ群ＬＦ１は物体側へ移動する。
【００６４】
レンズ群ＬＦは物体側から像側へ順に配置された、負の屈折力のレンズ群ＬＦＦ、正の屈折力のレンズ群ＬＦ１、正の屈折力のレンズ群ＬＦ２よりなり、無限遠から近距離へのフォーカシングに際して、レンズ群ＬＦ１は物体側へ移動する。
【００６５】
各実施例において、レンズ群ＬＦ１は物体側から像側へ順に正の屈折力のレンズ、正の屈折力のレンズ、負の屈折力のレンズを有している。このような配置とすることで、大口径による太い光束を、物体側の２枚のレンズで緩やかに屈折させ収斂させ球面収差やコマ収差の発生を抑制している。そして、３枚目の負の屈折力のレンズで、物体側の２枚のレンズで発生した収差を相殺することで、球面収差やコマ収差を補正している。
【００６６】
さらに、負の屈折力のレンズ、正の屈折力のレンズから構成する。又はレンズ群ＬＦ１は物体側から像側へ順に、正の屈折力のレンズ、正の屈折力のレンズ、負の屈折力のレンズ、正の屈折力のレンズから構成する。これによりフォーカシングによる収差変動を良好に補正している。レンズ群ＬＦ２は、接合レンズより構成し軸外主光線の入射高さの高い位置に配置することで、倍率色収差、非点収差等の軸外収差を補正している。
【００６７】
このような構成をとることで、大口径レンズで顕著に現れるサジタルコマフレアおよび諸収差を少ないレンズ枚数で良好に補正して、撮像光学系の小型化と高性能化を図っている。
【００６８】
次に各実施例の撮像光学系について、前述した特徴以外の特徴について説明する。
＜実施例１、実施例２、実施例３、実施例８＞
実施例１、実施例２、実施例３、実施例８において、レンズ群ＬＦは、正の屈折力のレンズ群ＬＦ１、正の屈折力のレンズ群ＬＦ２から成っている。
【００６９】
レンズ群ＬＦ１は、正の屈折力のレンズＧ１、正の屈折力のレンズＧ２、負の屈折力のレンズＧ３、開口絞りＳＰ、負の屈折力のレンズＧ４、正の屈折力のレンズＧ５から成っている。レンズ群ＬＦ２は負の屈折力のレンズＧ６、正の屈折力のレンズＧ７から成っている。
【００７０】
実施例１、実施例８のレンズ群ＬＲは負の屈折力のレンズＧ８から成っている。
【００７１】
実施例２のレンズ群ＬＲは負の屈折力のレンズＧ８に前述のローパスフィルター等の光学素子を接合した構成としている。
【００７２】
実施例３のレンズ群ＬＲは負の屈折力のレンズＧ８から成っている。またレンズＧ８の物体側のレンズ面と像側のレンズ面は非球面形状よりなっている。これにより、非点収差等の軸外収差を良好に補正している。また、像側の非球面で軸外光線を屈折することにより、像面ＩＰへの軸外光線の入射角を小さく（像面ＩＰに対して垂直入射する方向）している。非球面形状とするレンズ面はレンズ群ＬＲの複数のレンズ面でもよいし、いずれか１つのレンズ面でもよい。
【００７３】
実施例８のレンズ群ＬＲは負の屈折力のレンズＧ８から成っている。前述の像面湾曲の補正およびサジタルコマフレアの発生の抑制が十分な範囲で、レンズＧ８を像面から離して配置することで、バックフォーカスを確保しつつ像面ＩＰへの軸外光線の入射角を小さく（像面ＩＰに対して垂直入射する方向）している。
＜実施例４＞
実施例４において、レンズ群ＬＦは、正の屈折力のレンズ群ＬＦ１、正の屈折力のレンズ群ＬＦ２から成っている。
【００７４】
レンズ群ＬＦ１は、正の屈折力のレンズＧ１、正の屈折力のレンズＧ２、負の屈折力のレンズＧ３、開口絞りＳＰ、負の屈折力のレンズＧ４、正の屈折力のレンズＧ５から成っている。レンズ群ＬＦ２は、負の屈折力のレンズＧ６、正の屈折力のレンズＧ７から成っている。レンズ群ＬＲは負の屈折力のレンズＧ８、正の屈折力のレンズＧ９から成っている。
【００７５】
レンズ群ＬＲは、レンズＧ８の像側に正の屈折力のレンズＧ９を接合し、レンズＧ８にて跳ね上げられた軸外光線をレンズＧ９にて屈折させることで、像面ＩＰへの軸外光線の入射角を小さく（像面ＩＰに対して垂直入射する方向）している。また、レンズＧ９の像側のレンズ面を非球面形状とすることで、非点収差等の軸外収差を補正している。非球面形状とするレンズ面はレンズ群ＬＲの複数のレンズ面でもよいし、いずれか１つのレンズ面でもよい。
＜実施例５＞
実施例５において、レンズ群ＬＦは、正の屈折力のレンズ群ＬＦ１、正の屈折力のレンズ群ＬＦ２から成っている。
【００７６】
レンズ群ＬＦ１は、正の屈折力のレンズＧ１、正の屈折力のレンズＧ２、負の屈折力のレンズＧ３、開口絞りＳＰ、正の屈折力のレンズＧ４から成っている。レンズ群ＬＦ２は、負の屈折力のレンズＧ５、正の屈折力のレンズＧ６から成っている。レンズ群ＬＲは負の屈折力のレンズＧ７から成っている。
【００７７】
レンズ群ＬＲを、像面ＩＰへ配置される撮像素子（光電変換素子）との空気間隔がない（間隔が０に近くなる）ように配置することで、像面ＩＰへの軸外光線の入射角を小さく（像面ＩＰに対して垂直入射する方向）している。
【００７８】
また、レンズ群ＬＲを撮像素子との空気間隔が少ないように配置するかわりに、レンズ群ＬＲと撮像素子までの間隔を、ローパスフィルター、カバーガラス等の光学部材の屈折率が１より大きい媒質からなる光学素子で満たす構成としてもよい。
＜実施例６、実施例７＞
実施例６、実施例７において、レンズ群ＬＦは負の屈折力のレンズ群ＬＦＦ、正の屈折力のレンズ群ＬＦ１、正の屈折力のレンズ群ＬＦ２から成っている。
【００７９】
レンズ群ＬＦＦは、負の屈折力のレンズＧ１から成っている。レンズ群ＬＦ１は、正の屈折力のレンズＧ２、正の屈折力のレンズＧ３、負の屈折力のレンズＧ４、開口絞りＳＰ、正の屈折力のレンズＧ５から成っている。レンズ群ＬＦ２は、負の屈折力のレンズＧ６、正の屈折力のレンズＧ７から成っている。レンズ群ＬＲは負の屈折力のレンズＧ８から成っている。
【００８０】
レンズ群ＬＦ１より物体側に負の屈折力のレンズ群ＬＦＦを配置することで、焦点距離を小さく（広角に）している。レンズ群ＬＦＦは複数のレンズから成っていてもよい。
【００８１】
実施例６のレンズ群ＬＲは、像面ＩＰへ配置される撮像素子（光電変換素子）との空気間隔が少ないように配置することで、像面ＩＰへの軸外光線の入射角を小さく（像面ＩＰに対して垂直入射する方向）している。
【００８２】
また、実施例６のレンズ群ＬＲを撮像素子との空気間隔が少ないように配置するかわりに、レンズ群ＬＲと撮像素子までの間隔を、ローパスフィルター、カバーガラス等の屈折率が１より大きい媒質からなる光学素子で満たす構成としてもよい。
【００８３】
各実施例では以上のように各要素を設定することにより、大口径比でありながら、小型である撮像光学系を得ている。
【００８４】
次に、本発明の撮像光学系を用いたデジタルカメラ（撮像装置）の実施例について図１７を用いて説明する。
【００８５】
図１７において、２０はデジタルカメラ本体、２１は前述の各実施例の撮像光学系である。２２はカメラ本体に内蔵され、撮像光学系２１によって形成された被写体像を受光するＣＣＤセンサやＣＭＯＳセンサなどの撮像素子（光電変換素子）である。２３は撮像素子２２によって光電変換された被写体像に対応する情報を記録するメモリである。２４は不図示の液晶パネル等によって構成され、撮像素子２２上に形成された被写体像を観察するためのファインダである。
【００８６】
このように、本発明の撮像光学系をデジタルカメラ等の撮像装置に適用することにより、小型で高い光学性能を有する撮像装置を実現している。
【００８７】
以上、本発明の好ましい実施形態について説明したが、本発明はこれらの実施形態に限定されず、その要旨の範囲内で種々の変形及び変更が可能である。
【００８８】
次に、本発明の各実施例の数値実施例を示す。ｉは物体側からの面の順序を示し、ｒｉはレンズ面の曲率半径、ｄｉは第ｉ面と第ｉ＋１面との間のレンズ肉厚および空気間隔、ｎｄｉ、νｄｉはそれぞれｄ線に対する第ｉ面と第ｉ＋１面との間の材料の屈折率、アッベ数を示す。また、ＢＦはバックフォーカスであり、最終レンズ面から像面までの空気換算距離で示している。
【００８９】
また、非球面は面番号の後に、＊の符号を付加して表している。非球面形状は、光軸からの高さｈの位置での光軸方向の変位を面頂点を基準にしてｘ、Ｒを近軸曲率半径、ｋを円錐定数、Ａ４、Ａ６、Ａ８、Ａ１０を非球面係数とするとき、
ｘ＝（ｈ２／Ｒ）／［１＋｛１−（１＋ｋ）（ｈ／Ｒ）２｝１／２］＋Ａ４ｈ４＋Ａ６ｈ６＋Ａ８ｈ８＋Ａ１０ｈ１０
で表す。なお、各非球面係数における「ｅ±ＸＸ」は「×１０±ＸＸ」を意味する。また、前述の各条件式に関係した値を表１に示す。
【００９０】
［数値実施例１］
単位  ｍｍ
面データ
面番号       r        d      nd         vd       有効径
1         31.296   10.05   1.53775    74.7       
2        216.776    8.23                         
3*        41.007    4.97   1.85135    40.1       
4         61.127    1.60   1.76182    26.5       
5         26.848    5.81                         
6(絞り)    ∞       5.61                         
7       -633.975    1.88   1.62004    36.3       
8         26.961    9.30   1.75500    52.3       
9       -101.879    4.24                         
10        982.463    1.90   1.67270    32.1       
11         31.093   14.23   1.88202    37.2       
12*      -211.664    8.60                         
13        -24.743    1.90   1.49700    81.5       37.96
14          ∞       0.50                         42.97
像面        ∞   
非球面データ
第3面
K = 0.00000e+000  A 4=-4.67719e-006  A 6=-2.81867e-009  A 8=-1.81888e-011  A10= 2.36936e-014  
第12面
K = 0.00000e+000  A 4=-2.23852e-006  A 6=-2.14028e-008  A 8= 4.60337e-011  A10=-7.99380e-014  
各種データ
焦点距離      51.50  
Fナンバー      1.24  
半画角（度）  22.79  
像高          21.64  
レンズ全長    78.83  
BF             0.50  
単レンズデータ
レンズ  始面  焦点距離
1       1     66.75
2       3    131.41
3       4    -64.14
4       7    -41.66
5       8     29.14
6      10    -47.77
7      11     31.61
8      13    -49.79
［数値実施例２］
単位  ｍｍ
面データ
面番号       r        d      nd         vd       有効径
1         31.848    5.47   1.80400    46.6       
2        117.358    7.00                         
3*        47.375    2.99   1.85135    40.1       
4       1372.657    1.73   1.80518    25.4       
5         24.245    3.90                         
6(絞り)    ∞       5.10                         
7        -79.944    2.00   1.57501    41.5       
8         33.717    4.91   1.80400    46.6       
9        -61.881   10.00                         
10        553.013    3.00   1.69895    30.1       
11         30.459   14.23   1.88202    37.2       
12*      -106.262    6.97                         
13        -30.430    1.70   1.53160    55.8       38.09
14          ∞       1.00   1.51633    64.1       
15          ∞       2.35                         41.80
像面        ∞   
非球面データ
第3面
K = 0.00000e+000  A 4=-5.37556e-006  A 6=-2.31656e-009  A 8=-2.38907e-011  A10= 8.09860e-014  
第12面
K = 0.00000e+000  A 4=-1.15092e-006  A 6=-8.00872e-009  A 8= 9.22732e-012  A10=-1.34895e-014  
各種データ
焦点距離      49.17  
Fナンバー      1.65  
半画角（度）  23.75  
像高          21.64  
レンズ全長    72.35  
BF             2.35  
単レンズデータ
レンズ  始面  焦点距離
1       1     52.86
2       3     57.58
3       4    -30.67
4       7    -40.98
5       8     27.78
6      10    -46.23
7      11     28.22
8      13    -57.24
［数値実施例３］
単位  ｍｍ
面データ
面番号       r        d      nd         vd       有効径
1         38.367    6.14   1.75500    52.3       
2        193.916    6.18                         
3*        54.182    7.31   1.85135    40.1       
4        271.775    3.25   1.80518    25.4       
5         27.314    5.31                         
6(絞り)    ∞       7.66                         
7       -963.371    2.20   1.68893    31.1       
8         31.069    4.65   1.88300    40.8       
9       -117.135    9.32                         
10       -265.562    1.70   1.59270    35.3       
11         28.939   13.63   1.85135    40.1       
12*      -102.242    7.87                         
13*       -48.626    1.80   1.53160    55.8       40.75
14*       109.649    1.00                         43.21
像面        ∞   
非球面データ
第3面
K = 0.00000e+000  A 4=-2.49418e-006  A 6=-1.67768e-009  A 8=-9.42064e-014  A10= 4.58100e-016  
第12面
K = 0.00000e+000  A 4= 1.91990e-006  A 6=-3.28181e-009  A 8=-2.32704e-012  A10= 3.07193e-015  
第13面
K = 0.00000e+000  A 4=-1.51627e-005  A 6= 1.14278e-008  A 8= 3.82792e-012  
第14面
K = 0.00000e+000  A 4= 1.63342e-005  A 6=-2.40832e-007  A 8= 7.51563e-010  A10=-7.49183e-013  
各種データ
焦点距離      51.50  
Fナンバー      1.24  
半画角（度）  22.79  
像高          21.64  
レンズ全長    78.00  
BF             1.00  
単レンズデータ
レンズ  始面  焦点距離
1       1     62.29
2       3     78.28
3       4    -37.94
4       7    -43.65
5       8     28.22
6      10    -43.93
7      11     27.82
8      13    -63.12
［数値実施例４］
単位  ｍｍ
面データ
面番号       r        d      nd         vd       有効径
1         35.310    6.42   1.75500    52.3       
2        145.065    8.89                         
3*        55.005    5.55   1.88202    37.2       
4       -418.196    1.50   1.80518    25.4       
5         26.865    5.21                         
6(絞り)    ∞       4.53                         
7       -134.685    1.56   1.62588    35.7       
8         31.838    8.60   1.88300    40.8       
9        -81.465    6.89                         
10        848.139    1.90   1.72151    29.2       
11         30.749   11.38   1.88202    37.2       
12*      -178.218    9.38                         
13        -27.975    1.60   1.48749    70.2       36.36
14        136.874    3.58   1.88202    37.2       
15*       -97.252    1.00                         42.33
像面        ∞   
非球面データ
第3面
K = 0.00000e+000  A 4=-4.15580e-006  A 6=-2.83001e-009  A 8=-1.38053e-012  A10= 5.41251e-015  
第12面
K = 0.00000e+000  A 4=-1.07896e-006  A 6=-6.48739e-009  A 8= 3.76503e-012  A10=-5.13491e-015  
第15面
K = 0.00000e+000  A 4= 5.15201e-005  A 6=-2.51074e-007  A 8= 5.14338e-010  A10=-3.78409e-013  
各種データ
焦点距離      51.50  
Fナンバー      1.25  
半画角（度）  22.79  
像高          21.64  
レンズ全長    78.00  
BF             1.00  
単レンズデータ
レンズ  始面  焦点距離
1       1     60.30
2       3     55.42
3       4    -31.30
4       7    -41.00
5       8     26.88
6      10    -44.26
7      11     30.51
8      13    -47.50
9      14     64.93
［数値実施例５］
単位  ｍｍ
面データ
面番号       r        d      nd         vd       有効径
1         52.596   13.89   1.49700    81.5       
2       1088.461   15.00                         
3*        76.330   10.87   1.49700    81.5       
4       -126.990    5.00   1.70154    41.2       
5         55.064    9.68                         
6(絞り)    ∞      10.17                         
7         92.889    7.70   1.49700    81.5       
8        -90.164    8.02                         
9       -127.698    1.50   1.76182    26.5       
10         40.348    7.56   1.95150    29.8       
11*      -150.818   29.22                         
12        -46.210    1.50   1.88300    40.8       39.81
13          ∞       0.00                         43.30
像面        ∞   
非球面データ
第3面
K = 0.00000e+000  A 4=-1.56074e-006  A 6=-7.47219e-010  
第11面
K = 0.00000e+000  A 4= 1.28604e-007  A 6=-9.79236e-011  
各種データ
焦点距離      82.50  
Fナンバー      1.24  
半画角（度）  14.69  
像高          21.64  
レンズ全長   120.09  
BF             0.00  
単レンズデータ
レンズ  始面  焦点距離
1       1    110.71
2       3     97.66
3       4    -54.14
4       7     93.36
5       9    -40.09
6      10     34.11
7      12    -52.33
［数値実施例６］
単位  ｍｍ
面データ
面番号       r        d      nd         vd       有効径
1        262.685    2.00   1.49700    81.5       
2*        41.687   29.33                         
3         32.780    6.98   1.74320    49.3       
4        279.602   10.00                         
5*        58.530    4.45   1.85135    40.1       
6       -507.540    1.00   1.92119    24.0       
7         34.977    4.66                         
8(絞り)    ∞       7.46                         
9         67.442    7.51   1.49700    81.5       
10        -32.725    3.00                         
11       22598.244   1.50   1.64769    33.8      
12         36.095    5.24   1.85135    40.1       
13*       709.992   21.75                         
14        -24.064    1.60   1.49700    81.5       35.72
15          ∞       1.00                         45.44
像面        ∞   
非球面データ
第2面
K = 0.00000e+000  A 4=-4.07423e-007  A 6=-7.19812e-010  
第5面
K = 0.00000e+000  A 4=-9.64301e-006  A 6=-1.24596e-008  A 8= 8.36194e-013  
第13面
K = 0.00000e+000  A 4= 8.76169e-007  A 6=-3.14110e-009  
各種データ
焦点距離      36.00  
Fナンバー      1.45  
半画角（度）  31.00  
像高          21.64  
レンズ全長   106.48  
BF             0.00  
単レンズデータ
レンズ  始面  焦点距離
1       1   -100.00
2       3     49.37
3       5     61.86
4       6    -35.49
5       9     45.47
6      11    -55.82
7      12     44.51
8      14    -48.42
［数値実施例７］
単位  ｍｍ
面データ
面番号       r        d      nd         vd       有効径
1        242.589    2.00   1.49700    81.5       
2*        35.128   15.53                         
3         24.653    4.36   1.72000    42.0       
4        116.290    5.71                         
5*        41.622    2.18   1.85135    40.1       
6        134.511    1.97   1.80810    22.8       
7         23.456    3.70                         
8(絞り)    ∞       8.59                         
9         50.904    6.35   1.49700    81.5       
10        -28.147    1.00                         
11        -95.894    1.50   1.74077    27.8       
12        174.392    3.04   1.85135    40.1       
13*       -76.760   23.18                         
14        -20.781    1.60   1.49700    81.5       32.53
15          ∞       0.50                         41.03
16          ∞       0.80   1.51633    64.1       
17          ∞       0.50                         
像面        ∞   
非球面データ
第2面
K = 0.00000e+000  A 4=-1.91093e-006  A 6=-3.66222e-009  
第5面
K = 0.00000e+000  A 4=-1.60520e-005  A 6=-2.84968e-008  A 8= 1.55198e-011  
第13面
K = 0.00000e+000  A 4= 1.54180e-006  A 6=-2.85887e-009  A 8= 6.92039e-012  
各種データ
焦点距離      35.00  
Fナンバー      2.00  
半画角（度）   31.72  
像高          21.64  
レンズ全長    82.24  
BF             1.53  
単レンズデータ
レンズ  始面  焦点距離
1       1    -82.91
2       3     42.60
3       5     70.04
4       6    -35.44
5       9     37.47
6      11    -83.33
7      12     62.96
8      14    -41.81
［数値実施例８］
単位  ｍｍ
面データ
面番号       r        d      nd         vd       有効径
1         34.751    6.96   1.75500    52.3       
2        170.989    6.66                         
3*        60.367    7.30   1.85135    40.1       
4       -262.747    1.50   1.80518    25.4       
5         26.302    5.56                         
6(絞り)    ∞       5.40                         
7       -169.770    3.42   1.59551    39.2       
8         34.351    7.19   1.88300    40.8       
9        -77.788    5.25                         
10      -1370.269    1.90   1.74077    27.8       
11         33.169    9.88   1.88202    37.2       
12*       -99.950    8.40                         
13        -33.002    1.60   1.51742    52.4       36.04
14          ∞       4.95                         39.44
像面        ∞   
非球面データ
第3面
K = 0.00000e+000  A 4=-4.27260e-006  A 6=-2.52863e-009  A 8=-2.12904e-013  A10= 3.43535e-015  
第12面
K = 0.00000e+000  A 4=-2.57731e-007  A 6=-3.48728e-009  A 8= 5.36091e-012  A10=-3.89787e-015  
各種データ
焦点距離      51.50  
Fナンバー      1.24  
半画角（度）  22.79  
像高          21.64  
レンズ全長    75.96  
BF             4.95  
単レンズデータ
レンズ  始面  焦点距離
1       1     56.53
2       3     58.27
3       4    -29.63
4       7    -47.68
5       8     27.82
6      10    -43.69
7      11     29.25
8      13    -63.78
【００９１】
【表１】
2020118846.tif 000003
【符号の説明】
【００９２】
ＬＲ  レンズ群
ＬＦ  レンズ群
ＬＦ１  レンズ群
Ｌａｉｒ空気レンズ
ＳＰ  開口絞りＳＰ
【図１】
2020118846.tif 000004
【図２】
2020118846.tif 000005
【図３】
2020118846.tif 000006
【図４】
2020118846.tif 000007
【図５】
2020118846.tif 000008
【図６】
2020118846.tif 000009
【図７】
2020118846.tif 000010
【図８】
2020118846.tif 000011
【図９】
2020118846.tif 000012
【図１０】
2020118846.tif 000013
【図１１】
2020118846.tif 000014
【図１２】
2020118846.tif 000015
【図１３】
2020118846.tif 000016
【図１４】
2020118846.tif 000017
【図１５】
2020118846.tif 000018
【図１６】
2020118846.tif 000019
【図１７】
2020118846.tif 000020
【図１８】
2020118846.tif 000021